(57)【特許請求の範囲】
【請求項１】
ＨＴＭＬ形式の受信メールの第１のメール本文と送信元とを記憶する受信メール記憶手段と、  通信相手毎に、メール本文を切り替えるか否かを示す切替情報を記憶する切替情報記憶手段と、  前記切替情報記憶手段に記憶された前記送信元である通信相手についての切替情報に応じて、当該通信相手がメール本文を切り替えない通信相手である場合には、前記第１のメール本文を継続して前記受信メール記憶手段に記憶させ、当該通信相手がメール本文を切り替える通信相手である場合には、前記第１のメール本文からＨＴＭＬ記述部分で利用される特定のデータを編集して構成した第２のメール本文を前記第１のメール本文に代えて前記受信メール記憶手段に記憶させることによって、記憶するメールのメール本文を切り替えて記憶する記憶制御手段とを備え、  前記記憶制御手段による前記特定データの編集は、当該特定データの削除であることを特徴とするメール受信装置。
【発明の詳細な説明】
【技術分野】
【０００１】
本発明は、携帯電話等の携帯通信端末に関し、特に、送受信メールの本文の編集技術に関する。
【背景技術】
【０００２】
携帯電話機等の従来の携帯通信端末においては、ひらがな、漢字等といった一般の文字のみならず、顔文字や絵文字、画像等の装飾データを本文に含むメールを送受信することができる。
【０００３】
このようなメールを送信することによって、受信した相手に対し親近感を与えることができるため、ユーザは、友人や家族など比較的親密度が高い相手に対し送信するメールに、装飾データを用いることがある。一方で、上司や取引先の相手など比較的親密度が低い相手に対し装飾データを含むメールを送ることはマナーに反するとされる場合もあるため、このような相手に対し送信するメールには、装飾データを用いないのが一般的である。
【０００４】
装飾データを含むメールの作成を支援する技術として、例えば特許文献１がある。
【０００５】
特許文献１に係る携帯端末は、メールの送受信毎に、そのメールの本文に含まれる顔文字等に応じてメールの好感度数を算出し履歴として保持している。ユーザによりメールが作成されると、この携帯端末は、作成されたメールの好感度数を算出し、そのメールの送信先となる相手の好感度数の履歴に応じて、作成されたメールの好感度数が不足している場合には、そのメールに自動的に顔文字等を付加するものである。
【０００６】
これにより、比較的親密度が高い相手に対し、顔文字等を含まないメールを送ってしまうことによって、その相手との親密度が低下してしまうことを抑制できる。
【先行技術文献】
【特許文献】
【０００７】
【特許文献１】特開２００７−２００１５９号公報
【発明の概要】
【発明が解決しようとする課題】
【０００８】
しかしながら、特許文献１に係る携帯端末では、自動的に顔文字等が付加されるため、ユーザが意図しない顔文字等が付加される可能性がある。
本発明は係る問題に鑑みてなされたものであり、比較的親密度が低い通信相手に送信するメールのマナーを守りつつ、比較的親密度が高い通信相手との親密度の低下を招くようなメールの送信を防止することに利用可能な携帯通信端末であって、かつ、ユーザが意図しない顔文字等の装飾データを含むメールの送信を防止可能な携帯通信端末を提供することを目的とする。
【課題を解決するための手段】
【０００９】
上記課題を解決するために、本発明に係る携帯通信端末は、メールの送信機能を有する携帯通信端末であって、特定データを部分的に含む第１のメール本文と１以上の送信先とを記憶するメール記憶手段と、通信相手毎に、メール本文を切り替えるか否かを示す切替情報を記憶する切替情報記憶手段と、前記送信先である通信相手毎に、前記切替情報記憶手段に記憶された当該通信相手についての切替情報に応じて、当該通信相手がメール本文を切り替えない通信相手である場合には、前記第１のメール本文を送信し、当該通信相手
がメール本文を切り替える通信相手である場合には、当該第１のメール本文から少なくとも前記特定データを編集して構成した第２のメール本文を送信する送信制御手段とを備えることを特徴とする。
【００１０】
ここで、第１のメール本文には、一般のテキスト形式のメール本文の他、ＨＴＭＬ（ＨｙｐｅｒＴｅｘｔ  Ｍａｒｋｕｐ  Ｌａｎｇｕａｇｅ）形式のメール本文を含む。また、特定データとは、顔文字や絵文字等の所定文字列や、フォントやスタイル等を指定して文字列を装飾するＨＴＭＬ形式のメールにおけるＨＴＭＬ記述部分のデータや、そのＨＴＭＬ記述部分で利用される画像等のデータをいう。
【発明の効果】
【００１１】
上述の構成を備える本発明に係る携帯通信端末は、切替情報に基づき通信相手がメール本文を切り替える通信相手か否かに応じて、メール記憶手段に記憶されている第１のメール本文と、その第１のメール本文から特定データを編集して構成した第２のメール本文とのいずれかを送信するので、本携帯通信端末のユーザは、わざわざ特定データを編集した第２のメール本文を作成することなく、切替情報に応じて各通信相手に、いずれかのメール本文を送信できる。
【００１２】
また、前記特定データは、それぞれが１以上の文字からなる複数の第１の文字列であり、前記携帯通信端末は、更に各第１の文字列を記憶する文字列記憶手段を備え、前記送信制御手段による前記特定データの編集は、前記文字列記憶手段により記憶された各第１の文字列と一致する全ての文字列の削除であることとしてもよい。
【００１３】
また、メール本文を切り替えることを示す切替情報は、切替の程度を示す情報も含み、前記文字列記憶手段は、更に１以上の文字からなる第２の文字列を記憶し、前記送信制御手段は、前記通信相手がメール本文を切り替える通信相手である場合に、前記切替情報が示す切替の程度に応じて、前記第１のメール本文から各第１の文字列と一致する全ての文字列を削除して構成した第２のメール本文と、当該第１のメール本文から各第１の文字列及び第２の文字列と一致する全ての文字列を削除して構成した第２のメール本文とのいずれかを送信することとしてもよい。
【００１４】
また、前記第１のメール本文は、ＨＴＭＬ（ＨｙｐｅｒＴｅｘｔ  Ｍａｒｋｕｐ  Ｌａｎｇｕａｇｅ）形式であり、前記送信制御手段による前記特定データの編集は、ＨＴＭＬ記述部分のデータと、当該ＨＴＭＬ記述部分で利用されるデータの削除であることとしてもよい。
【００１５】
また、前記メール記憶手段が記憶している送信先は、複数であり、前記携帯通信端末は、更に前記メール記憶手段に記憶された各送信先である通信相手を示す情報を表示するための表示手段と、前記送信先である通信相手毎に、当該通信相手がメール本文を切り替える通信相手か否かに応じて、当該通信相手を示す情報を異なる表示態様で前記表示手段に表示させる表示制御手段を備えることとしてもよい。
【００１６】
また、前記携帯通信端末は、メールの受信機能を有するものであり、更にメール本文を記憶するための受信メール記憶手段と、前記切替情報記憶手段に記憶された受信メールの送信元である通信相手についての切替情報に応じて、当該通信相手がメール本文を切り替えない通信相手である場合には、特定データを部分的に含む受信メールのメール本文を前記受信メール記憶手段に記憶させ、当該通信相手がメール本文を切り替える通信相手である場合には、当該受信メールのメール本文から当該特定データを削除して構成したメール本文を前記受信メール記憶手段に記憶させる記憶制御手段とを備えることとしてもよい。
【００１７】
また、メールの受信機能を有する携帯通信端末であって、特定データを部分的に含む受信メールの第１のメール本文と送信元とを記憶する受信メール記憶手段と、通信相手毎に、メール本文を切り替えるか否かを示す切替情報を記憶する切替情報記憶手段と、前記切替情報記憶手段に記憶された前記送信元である通信相手についての切替情報に応じて、当該通信相手がメール本文を切り替えない通信相手である場合には、前記第１のメール本文を継続して前記受信メール記憶手段に記憶させ、当該通信相手がメール本文を切り替える通信相手である場合には、第１のメール本文から前記特定データを編集して構成した第２のメール本文を前記第１のメール本文に代えて前記受信メール記憶手段に記憶させる記憶制御手段とを備えることとしてもよい。
【００１８】
また、前記携帯通信端末は、更に第１のメール本文又は第２のメール本文を表示する表示手段を備え、前記記憶制御手段による前記受信メール記憶手段に対する制御は、前記表示手段により第１のメール本文が表示された後に行われることとしてもよい。
【００１９】
また、前記受信メール記憶手段に記憶されている受信メールは複数あり、前記記憶制御手段による前記受信メール記憶手段に対する制御は、前記受信メール記憶手段が記憶する各受信メールのサイズが、予め定められたサイズに達した場合に行われることとしてもよい。
【図面の簡単な説明】
【００２０】
【図１】本発明の実施の形態１に係る携帯電話機１００の機能ブロック図である。
【図２】装飾文字テーブル１０００のデータ構成及び内容例を示す図である。
【図３】アドレス帳２０００のデータ構成及び内容例を示す図である。
【図４】携帯電話機１００によるメールの送信処理手順を示すフローチャートである
【図５】携帯電話機１００による受信メールの閲覧処理手順を示すフローチャートである。
【図６】オリジナル本文であるメール本文３０００の内容例を示す図である。
【図７】編集本文であるメール本文３１００の内容例を示す図である。
【図８】装飾文字テーブル１１００のデータ構成及び内容例を示す図である。
【図９】アドレス帳２１００のデータ構成及び内容例を示す図である。
【図１０】変形例に係る携帯電話機によるメールの送信処理手順を示すフローチャートである。
【図１１】変形例に係る携帯電話機による受信メールの閲覧処理手順を示すフローチャートである。
【発明を実施するための形態】
【００２１】
以下、本発明に係る携帯通信端末の実施形態としての携帯電話機について説明する。
≪実施の形態１≫
＜概要＞
実施の形態１に係る携帯電話機は、メールの送受信が可能な従来の携帯電話機を改良したものであり、ユーザが入力したメール本文、又はユーザが選択した閲覧対象の受信メールのメール本文（以下、「オリジナル本文」という）に装飾データが含まれている場合に、このオリジナル本文から装飾データを削除したメール本文（以下、「編集本文」という）を生成可能なものである。
装飾データとしては、顔文字、絵文字等の装飾文字や、フォントやスタイル等を指定して文字列を装飾するＨＴＭＬ形式のメールにおけるＨＴＭＬ記述部分のデータや、そのＨＴＭＬ記述部分で利用される画像等のデータがある。
【００２２】
本携帯電話機には、通信相手毎に、装飾データを含むオリジナル本文を、装飾データを含まない編集本文に切り替えるか否かを示す切替情報が記憶されている。本携帯電話機は
、ユーザにより入力されたメール本文（オリジナル本文）に装飾データが含まれている場合に、この切替情報に基づいて、１以上の送信先である通信相手毎に、その通信相手が編集本文に切り替える通信相手（以下、「切替対象者」という）であるときは、編集本文からなるメールを送信し、編集本文に切り替えない通信相手（以下、「切替対象外者」という）であるときは、ユーザにより入力されたオリジナル本文からなるメールを送信する。
【００２３】
従って、切替対象者と切替対象外者とを含む複数の通信相手に対してメールを送信する場合に、本携帯電話機のユーザは、自分の意図した装飾データを含むオリジナル本文を作成するだけで、切替対象外者には、その装飾データを含むオリジナル本文からなるメールを送信しつつ、切替対象者には、装飾データが削除された編集本文からなるメールを送信することができる。つまり、わざわざ切替対象者用にオリジナル本文と同じ内容の装飾データを削除したメール本文を作成する手間を省くことができる。
【００２４】
また、本携帯電話機は、ユーザが選択した閲覧対象のメール本文（オリジナル本文）に装飾データが含まれている場合に、送信元である通信相手が切替対象者であるときは、その受信メールの閲覧後に、そのオリジナル本文に代えて、装飾データを削除した編集本文を記憶させる。
【００２５】
装飾データを削除したことにより、本携帯電話機が記憶する受信メールのサイズを抑えることができ、また、本携帯電話機のユーザは、再度その受信メールを閲覧する場合に、絵文字等の装飾データが削除されてすっきりとしたメールを閲覧できるので、そのメールの主な内容を把握しやすくなる。
＜構成＞
図１は、本発明の実施の形態１に係る携帯電話機１００の機能ブロック図である。
【００２６】
携帯電話機１００は、従来の携帯電話機とハードウェア構成に関して基本的に同様であり、スピーカやマイク等のほか、プロセッサとメモリとを含んで構成される。
【００２７】
携帯電話機１００は、機能面においては、同図に示すとおり、記憶部１１０、操作部１２０、表示部１３０、無線通信部１４０、及び制御部１５０を備える。なお、同図は、本発明の特徴を実現する上で重要な各機能構成要素の関係を示している。
【００２８】
ここで、記憶部１１０は、装飾文字テーブル領域１１１、アドレス帳領域１１２、受信メール領域１１３を含むメモリ領域である。装飾文字テーブル領域１１１は、図２に示す装飾文字テーブル１０００を、アドレス帳領域１１２は、図３に示すアドレス帳２０００を、受信メール領域１１３は、各受信メールを記憶するためのメモリ領域である。
【００２９】
詳細は後述するが、装飾文字テーブル１０００は、顔文字や絵文字を登録したデータであり、アドレス帳２０００は、通信相手となる連絡先毎に、名称と電話番号とＥメールアドレスと切替情報とを対応付けたデータである。
【００３０】
なお、本発明における文字列記憶手段は、装飾文字テーブル領域１１１に相当し、本発明における切替情報記憶手段は、アドレス帳領域１１２に相当し、受信メール記憶手段は、受信メール領域１１３に相当する。
【００３１】
操作部１２０は、いわゆるテンキー等のキー群やボタン群を含むものであり、ユーザ操作の内容を制御部１５０に伝達する回路であり、携帯電話機１００が有する各種機能の選択や、メール本文の入力等に使用される。
【００３２】
表示部１３０は、液晶ディスプレイ（ＬＣＤ：Ｌｉｑｕｉｄ  Ｃｒｙｓｔａｌ  Ｄｉｓ
ｐｌａｙ）を含み、制御部１５０の指示に応じて、文字やアイコン等を含む各種画像をＬＣＤに表示する回路である。
【００３３】
無線通信部１４０は、アンテナを備え、基地局との間で電波の送受信を行う回路であり、基地局を介して他の携帯電話機等の通信機器と通信する機能を有する。
【００３４】
また、制御部１５０は、携帯電話機１００全体の制御を行う機能を有し、ユーザインタフェース制御部１５１、メール制御部１５２、メール送信処理部１５６、メール受信処理部１５７を備える。制御部１５０の各機能は、メモリに記憶されているプログラムをプロセッサに実行させることにより、ソフトウェア的に実現される。
【００３５】
なお、本発明における送信制御手段は、メール制御部１５２とメール送信処理部１５６とに相当し、本発明における表示制御手段は、ユーザインタフェース制御部１５１に相当し、本発明における記憶制御手段は、ユーザインタフェース制御部１５１とメール制御部１５２とに相当する。また、本発明におけるメール記憶手段は、上述のメモリに相当する。なお、このメモリは、記憶部１１０により実現されてもよいし、記憶部１１０とは異なるメモリにより実現されてもよい。
【００３６】
ここで、ユーザインタフェース制御部１５１は、操作部１２０から伝達されたユーザ操作の内容に応じて、文字やメニュー画像等を表示部１３０に表示させると共に必要なデータをメール制御部１５２に伝達する機能を有する。
【００３７】
メール制御部１５２へのデータの伝達は、ユーザにより、メール作成を要求する操作、又は受信メール閲覧を要求する操作がなされた場合に行われ、伝達するデータとしては、ユーザにより入力されたメール本文や受信メール領域１１３に記憶されている閲覧対象の受信メールのメール本文（オリジナル本文）、ユーザにより選択された１以上の送信先のＥメールアドレスや受信メールの送信元のＥメールアドレス、メール作成要求と受信メール閲覧要求のいずれの操作がされたかを識別可能な操作情報がある。
【００３８】
また、ユーザインタフェース制御部１５１は、後述するように、メール制御部１５２から編集本文が伝達されると、伝達された編集本文を、上述の閲覧対象の受信メールのオリジナル本文に代えて受信メール領域１１３に記憶させる機能を有する。
【００３９】
メール制御部１５２は、ユーザインタフェース制御部１５１から伝達されたオリジナル本文（ユーザにより入力されたメール本文又は閲覧対象の受信メールのメール本文）に装飾データが含まれている場合に、通信相手が編集本文に切り替える通信相手（切替対象者）であるかに応じて、装飾データを削除した編集本文を生成する機能を有し、装飾判定部１５３と切替対象判定部１５４とメール編集部１５５とを備える。
【００４０】
ここで、装飾判定部１５３は、オリジナル本文に装飾データが含まれているか否かを判定する機能を有する。具体的には、装飾文字テーブル１０００に登録された顔文字についての文字コード列をオリジナル本文から検索することにより検出し、絵文字についての文字コードをオリジナル本文において照合することにより検出し、ＨＴＭＬ形式のメールにおいて、ＨＴＭＬ記述部分とそのＨＴＭＬ記述部分で利用される画像等のデータを検出することにより、上述の判定を行う。また、装飾文字テーブル１０００に登録されていなくても、ある所定の形式に基づいて作られた装飾文字を検出するようにしてもよい。
【００４１】
このＨＴＭＬ形式のメールは、ＲＦＣ（Ｒｅｑｕｅｓｔ  Ｆｏｒ  Ｃｏｍｍｅｎｔ）２１１２で標準化されているＭＩＭＥマルチパート等に準拠したマルチパート形式のメールである。つまり、メール本文は、バウンダリとも呼ばれる所定文字列によって論理的に区切られた複数のパートからなり、各パートには、プレーンテキストデータや、そのプレーンテキストデータに対応するＨＴＭＬ記述部分のデータや、そのＨＴＭＬ記述部分で利用される画像等のデータを格納することができる。装飾判定部１５３は、上述のバウンダリを検出することにより、ＨＴＭＬ記述部分とそのＨＴＭＬ記述部分で利用されるデータを検出する。
【００４２】
装飾判定部１５３は、装飾データが含まれていないと判定した場合には、オリジナル本文と、ユーザインタフェース制御部１５１から伝達された各Ｅメールアドレスとをメール送信処理部１５６に伝達する。
【００４３】
切替対象判定部１５４は、装飾判定部１５３による判定において、装飾データが含まれていると判定された場合に、ユーザインタフェース制御部１５１から伝達された各Ｅメールアドレスが示す各通信相手が、切替対象者であるか否かをアドレス帳２０００に基づき判定する機能を有する。
【００４４】
メール編集部１５５は、切替対象判定部１５４による判定において、切替対象者であると判定された通信相手があった場合に、オリジナル本文から、装飾データを削除した編集本文を生成する機能を有する。装飾データの削除は、装飾判定部１５３により検出された顔文字や絵文字を削除し、また、ＨＴＭＬ形式のメールにおけるＨＴＭＬ記述部分とそのＨＴＭＬ記述部分で利用される画像等のデータを削除することにより行う。
【００４５】
編集本文を生成すると、メール編集部１５５は、ユーザインタフェース制御部１５１から伝達された操作情報が、メール作成を要求する操作がなされた旨の操作情報であるときは、生成した編集本文と切替対象判定部１５４が切替対象者と判定した各通信相手のＥメールアドレスとをメール送信処理部１５６に伝達し、また、切替対象判定部１５４が切替対象外者と判定した通信相手がある場合には、その通信相手のＥメールアドレスとオリジナル本文とをメール送信処理部１５６に伝達する。また、ユーザインタフェース制御部１５１から伝達された操作情報が、受信メール閲覧を要求する操作がなされた旨の操作情報である場合ときは、生成した編集本文を、ユーザインタフェース制御部１５１に伝達する。
【００４６】
メール送信処理部１５６は、メール制御部１５２から伝達されたデータに基づいて、切替対象者宛に編集本文からなるメールを、切替対象外者宛にオリジナル本文からなるメールを、無線通信部１４０を介して送信する機能を有する。
【００４７】
メール受信処理部１５７は、無線通信部１４０を介して受信したメールを受信メール領域１１３に記憶させる機能を有する。
＜データ＞
以下、携帯電話機１００が使用するデータについて説明する。
【００４８】
＜装飾文字テーブル＞
以下、記憶部１１０の装飾文字テーブル領域１１１に記録されている装飾文字テーブル１０００について説明する。
【００４９】
装飾文字テーブル１０００は、顔文字と絵文字とを記録したデータであり、メール制御部１５２が、編集本文を生成する際に参照される。
【００５０】
図２は、装飾文字テーブル１０００のデータ構成及び内容例を示す図である。
【００５１】
同図に示すように、装飾文字テーブル１０００は装飾文字１００１からなる。装飾文字
１００１は、顔文字のデータと絵文字のデータとからなる。実際には、顔文字のデータは、記号などの複数の文字からなる文字コード列であり、絵文字のデータは、全角１文字分の文字コードである。
【００５２】
同図は、編集本文を生成する際に、オリジナル本文に、例えば、顔文字である「（Ｔ＾Ｔ）」が含まれていた場合には、これを削除して編集本文を生成することを示している。
【００５３】
なお、装飾文字テーブル１０００への新たな顔文字等の登録や登録済みの顔文字等の削除は、無線通信部１４０を介して通信可能なサーバ等からダウンロードした顔文字等のデータを追加し、又は登録済みの顔文字等のデータに代えて登録することにより行われ、また、携帯電話機１００のユーザによる操作部１２０への顔文字等のデータの登録や削除の操作に基づいてユーザインタフェース制御部１５１により行われる。
【００５４】
＜アドレス帳＞
以下、記憶部１１０のアドレス帳領域１１２に記録されているアドレス帳２０００について説明する。
【００５５】
アドレス帳２０００は、一般的な携帯電話機が備えるアドレス帳のデータ構成の一部を変更したものであり、ユーザインタフェース制御部１５１が、ユーザに対し、送信先のＥメールアドレスを選択させる際や、切替対象判定部１５４が、通信相手が切替対象者であるか否かを判定する際に参照される。
【００５６】
図３は、アドレス帳２０００のデータ構成及び内容例を示す図である。
【００５７】
同図に示すように、アドレス帳２０００は、通信相手となる連絡先毎に、名称２００１と電話番号２００２とＥメールアドレス２００３と切替情報２００４とが対応付けて記憶されている。
【００５８】
ここで、名称２００１は、電話やメールの通信相手を示す氏名等の名称であり、電話番号２００２は、その通信相手が所有する電話機に割り振られた電話番号であり、Ｅメールアドレス２００３は、その通信相手が所有するＥメールアドレスである。
【００５９】
また、切替情報２００４は、その通信相手を送信先又は送信元としたメールのオリジナル本文を、編集本文に切り替えるか否かを示す情報である。切替情報２００４は、編集本文に切り替えるか否かを区別可能なデータであればいずれのデータ形式を採用してもよいが、本実施の形態では、編集本文に切り替える場合を「１」とし、切り替えない場合を「０」として説明する。
【００６０】
同図は、例えば、名称が「井上一子」である通信相手が所有する携帯電話機の電話番号は「０９０３４５６７８９０」で、Ｅメールアドレスは「ｉｃｈｉｋｏ＠ａａａ．ｃｏｍ」であり、切替情報は「０」、即ち、編集本文に切替えないことを示しており、つまり、その通信相手は切替対象外者であることを示している。
【００６１】
また、同図は、例えば、名称が「斉藤二郎」である通信相手が所有する携帯電話機の電話番号は「０９０１２３４５６７８」で、Ｅメールアドレスは「ｓａｉｔｏ＠ａａａ．ｃｏｍ」であり、切替情報は「１」、即ち、オリジナル本文に装飾データが含まれている場合に、編集本文に切替えることを示しており、つまり、その通信相手は切替対象者であることを示している。
【００６２】
なお、アドレス帳２０００への新たな連絡先（切替情報を含む）の登録、登録済みの連
絡先の更新や削除は、携帯電話機１００のユーザによる操作部１２０への操作に基づいてユーザインタフェース制御部１５１により行われる。
＜動作＞
次に、上記構成を備える携帯電話機１００の動作について、図４及び図５を用いて説明する。
【００６３】
＜メール送信処理＞
図４は、携帯電話機１００によるメールの送信処理手順を示すフローチャートである。
【００６４】
ユーザインタフェース制御部１５１は、ユーザによるメール作成を要求する操作がなされると、ユーザにより選択された１以上の送信先のＥメールアドレスとユーザにより入力されたメール本文（オリジナル本文）とメール作成を要求する操作がなされた旨の操作情報とをメール制御部１５２に伝達する（ステップＳ１０）。
【００６５】
装飾判定部１５３は、ステップＳ１０において伝達されたオリジナル本文に装飾データが含まれているかを判定する（ステップＳ１１）。より詳細には、装飾文字テーブル１０００に登録されている顔文字、絵文字を検出し、ＨＴＭＬ形式のメールにおけるＨＴＭＬ記述部分及びそのＨＴＭＬ記述部分で利用されるデータを検出することにより、判定を行う。
【００６６】
ステップＳ１１において、装飾データが含まれていると判定した場合には（ステップＳ１１：Ｙ）、切替対象判定部１５４は、ステップＳ１０で伝達された各Ｅメールアドレスが示す送信先が切替対象者であるか否かを判定する（ステップＳ１２）。
【００６７】
送信先に１以上の切替対象者が含まれていた場合には（ステップＳ１２：Ｙ）、メール編集部１５５は、ステップＳ１０で伝達されたオリジナル本文から、ステップＳ１１で装飾判定部１５３が検出した装飾データ（顔文字、絵文字、ＨＴＭＬ記述部分のデータ、ＨＴＭＬ記述部分で利用されるデータ）を削除したメール本文（編集本文）を生成する（ステップＳ１３）。
【００６８】
メール編集部１５５は、ステップＳ１０で伝達された操作情報に基づいて、ステップＳ１３で生成した編集本文と切替対象判定部１５４が切替対象者と判定した各送信先のＥメールアドレスとをメール送信処理部１５６に伝達する（ステップＳ１４）。
【００６９】
メール送信処理部１５６は、全ての切替対象者宛に、ステップＳ１４で伝達された編集本文からなるメールを送信し（ステップＳ１５）、送信先に切替対象外者が含まれていた場合には（ステップＳ１６：Ｙ）、ステップＳ１７へ進み、切替対象外者が含まれていなかった場合には（ステップＳ１６：Ｎ）、メールの送信処理を終了する。
【００７０】
また、ステップＳ１２において、切替対象者が含まれていなかった場合には（ステップＳ１２：Ｎ）、切替対象者宛にメールを送信する必要がないため、ステップＳ１７へ進む。
【００７１】
メール編集部１５５は、ステップＳ１０で伝達されたオリジナル本文と切替対象判定部１５４が切替対象外者と判定した各送信先のＥメールアドレスとをメール送信処理部１５６に伝達し（ステップＳ１７）、ステップＳ１８へ進む。
【００７２】
また、ステップＳ１１において、装飾データが含まれていないと判定した場合には（ステップＳ１１：Ｙ）、編集本文を生成する必要がないため、ステップＳ１０で伝達された各送信先のＥメールアドレスとオリジナル本文とをメール送信処理部１５６に伝達し（ス
テップＳ１９）、ステップＳ１８へ進む。
【００７３】
メール送信処理部１５６は、ステップＳ１７又はステップＳ１９で伝達された各Ｅメールアドレスを送信先として、ステップＳ１７又はステップＳ１９で伝達されたオリジナル本文からなるメールを送信し（ステップＳ１８）、メールの送信処理を終了する。
【００７４】
＜受信メール閲覧処理＞
図５は、携帯電話機１００による受信メールの閲覧処理手順を示すフローチャートである。
【００７５】
ユーザインタフェース制御部１５１は、ユーザによる受信メール閲覧を要求する操作がなされると、ユーザにより選択された閲覧対象のメール本文（オリジナル本文）を表示部１３０に表示させ（ステップＳ２０）、オリジナル本文と送信元のＥメールアドレスと受信メール閲覧を要求する操作がなされた旨の操作情報とをメール制御部１５２に伝達する（ステップＳ２１）。
【００７６】
装飾判定部１５３は、ステップＳ２１において伝達されたオリジナル本文に装飾データが含まれているかを、図４のステップＳ１１と同様に判定する（図５のステップＳ２２）。
【００７７】
ステップＳ２２において、装飾データが含まれていないと判定した場合には（ステップＳ２２：Ｎ）、受信メールの閲覧処理を終了し、装飾データが含まれていると判定した場合には（ステップＳ２２：Ｙ）、切替対象判定部１５４は、ステップＳ２１で伝達されたＥメールアドレスが示す送信元が切替対象者であるかを判定する（ステップＳ２３）。
【００７８】
ステップＳ２３において、切替対象者でない場合には（ステップＳ２３：Ｎ）、受信メールの閲覧処理を終了し、切替対象者である場合には（ステップＳ２３：Ｙ）、メール編集部１５５は、図４のステップＳ１３と同様に、ステップＳ２１で伝達されたオリジナル本文から、ステップＳ２２で装飾判定部１５３が検出した装飾データを削除したメール本文（編集本文）を生成する（ステップＳ２４）。
【００７９】
メール編集部１５５は、ステップＳ２１で伝達された操作情報に基づいて、ステップＳ２４で生成した編集本文をユーザインタフェース制御部１５１に伝達する（ステップＳ２５）。
【００８０】
ユーザインタフェース制御部１５１は、ステップＳ２５で伝達された編集本文を、記憶部１１０の受信メール領域１１３に記憶されているステップＳ２１で伝達したオリジナル本文に代えて記憶させ（ステップＳ２６）、受信メールの閲覧処理を終了する。
＜具体例による動作の説明＞
上述した携帯電話機１００の動作について、図４及び図５に示すフローチャートに即して、具体的に説明する。
【００８１】
＜メール送信処理＞
図６は、メール本文３０００の内容例を示す図である。
【００８２】
同図において、メール本文３０００には、装飾データとして、絵文字３００１及び３００３と、顔文字３００２と、画像データ３００４とが含まれている。
【００８３】
以下では、同図に示すメール本文をユーザにより入力されたオリジナル本文とし、送信先として、図３に示す「ｉｃｈｉｋｏ＠ａａａ．ｃｏｍ」（井上一子）と「ｓａｉｔｏ＠
ａａａ．ｃｏｍ」（斉藤二郎）とが選択された場合を例にメール送信処理について説明する。
【００８４】
ユーザインタフェース制御部１５１は、ユーザによるメール作成を要求する操作がなされると、ユーザにより選択された１以上の送信先のＥメールアドレス（ｉｃｈｉｋｏ＠ａａａ．ｃｏｍ、ｓａｉｔｏ＠ａａａ．ｃｏｍ）とユーザにより入力されたオリジナル本文（メール本文３０００）とメール作成を要求する操作がなされた旨の操作情報とをメール制御部１５２に伝達する（ステップＳ１０）。
【００８５】
装飾判定部１５３は、ステップＳ１０において伝達されたオリジナル本文に装飾データが含まれているかを判定する（ステップＳ１１）。この例では、メール本文３０００には、３００１〜３００４で示す装飾データが含まれているため（ステップＳ１１：Ｙ）、切替対象判定部１５４は、ステップＳ１０で伝達された各Ｅメールアドレス（ｉｃｈｉｋｏ＠ａａａ．ｃｏｍ、ｓａｉｔｏ＠ａａａ．ｃｏｍ）が示す送信先が切替対象者であるか否かを判定する（ステップＳ１２）。
【００８６】
図３において、「ｉｃｈｉｋｏ＠ａａａ．ｃｏｍ」が示す送信先の切替情報は「０」であり、「ｓａｉｔｏ＠ａａａ．ｃｏｍ」が示す送信先の切替情報は「１」であるため、切替対象判定部１５４は、切替対象者が含まれていたと判定し（図４のステップＳ１２：Ｙ）、メール編集部１５５は、ステップＳ１０で伝達されたオリジナル本文（メール本文３０００）から、ステップＳ１１で装飾判定部１５３が検出した装飾データ（３００１〜３００４で示す装飾データ）を削除した編集本文（図７のメール本文３１００）を生成する（図４のステップＳ１３）。
【００８７】
メール編集部１５５は、ステップＳ１０で伝達された操作情報に基づいて、ステップＳ１３で生成した編集本文（メール本文３１００）と切替対象判定部１５４が切替対象者と判定した送信先のＥメールアドレス（ｓａｉｔｏ＠ａａａ．ｃｏｍ）とをメール送信処理部１５６に伝達する（ステップＳ１４）。
【００８８】
メール送信処理部１５６は、切替対象者（ｓａｉｔｏ＠ａａａ．ｃｏｍ）宛に、ステップＳ１４で伝達された編集本文（メール本文３１００）からなるメールを送信する（ステップＳ１５）。
【００８９】
ステップＳ１５の処理に続いて、メール編集部１５５は、ステップＳ１０で伝達されたオリジナル本文（メール本文３０００）と切替対象判定部１５４が切替対象外者と判定した送信先のＥメールアドレス（ｉｃｈｉｋｏ＠ａａａ．ｃｏｍ）とをメール送信処理部１５６に伝達する（ステップＳ１７）。
【００９０】
メール送信処理部１５６は、ステップＳ１７で伝達されたＥメールアドレス（ｉｃｈｉｋｏ＠ａａａ．ｃｏｍ）を送信先として、ステップＳ１７で伝達されたオリジナル本文（メール本文３０００）からなるメールを送信し（ステップＳ１８）、メールの送信処理を終了する。
【００９１】
このように、実施の形態１に係る携帯電話機１００は、ユーザが自分の意図する装飾データを含むオリジナル本文を作成すれば、切替対象者には、そのオリジナル本文からなるメールをそのまま送信でき、切替対象者には、装飾データ（装飾文字や、ＨＴＭＬ記述部分のデータや、そのＨＴＭＬ記述部分で利用される画像等のデータ等）を削除した編集本文からなるメールを送信できる。従って、本携帯電話機のユーザは、切替対象者用に装飾データを削除した編集本文を作成する手間を省くことができる。
【００９２】
＜受信メール閲覧処理＞
以下では、図６に示すメール本文３０００を閲覧対象のオリジナル本文とし、送信元が、図３に示す「ｓａｉｔｏ＠ａａａ．ｃｏｍ」（斉藤二郎）である場合を例に受信メールの閲覧処理について説明する。
【００９３】
ユーザインタフェース制御部１５１は、ユーザによる受信メール閲覧を要求する操作がなされると、ユーザにより選択された閲覧対象のオリジナル本文（メール本文３０００）を表示部１３０に表示させ（図５のステップＳ２０）、オリジナル本文（メール本文３０００）と送信元のＥメールアドレス（ｓａｉｔｏ＠ａａａ．ｃｏｍ）と受信メール閲覧を要求する操作がなされた旨の操作情報とをメール制御部１５２に伝達する（ステップＳ２１）。
【００９４】
装飾判定部１５３は、ステップＳ２１において伝達されたオリジナル本文（メール本文３０００）に装飾データが含まれているかを、図４のステップＳ１１と同様に判定し（図５のステップＳ２２）、この例では、メール本文３０００には、３００１〜３００４で示す装飾データが含まれているため（ステップＳ２２：Ｙ）、切替対象判定部１５４は、ステップＳ２１で伝達されたＥメールアドレス（ｓａｉｔｏ＠ａａａ．ｃｏｍ）が示す送信元が切替対象者であるかを判定する（ステップＳ２３）。
【００９５】
図３において、「ｓａｉｔｏ＠ａａａ．ｃｏｍ」が示す送信先の切替情報は「１」であるため、切替対象判定部１５４は、切替対象者であると判定し（図５のステップＳ２３：Ｙ）、メール編集部１５５は、図４のステップＳ１３と同様に、ステップＳ２１で伝達されたオリジナル本文（メール本文３０００）から、図５のステップＳ２２で装飾判定部１５３が検出した装飾データ（３００１〜３００４で示す装飾データ）を削除した編集本文（図７のメール本文３１００）を生成する（図５のステップＳ２４）。
【００９６】
メール編集部１５５は、ステップＳ２１で伝達された操作情報に基づいて、ステップＳ２４で生成した編集本文（メール本文３１００）をユーザインタフェース制御部１５１に伝達する（ステップＳ２５）。
【００９７】
ユーザインタフェース制御部１５１は、ステップＳ２５で伝達された編集本文（メール本文３１００）を、記憶部１１０の受信メール領域１１３に記憶されているステップＳ２１で伝達したオリジナル本文（メール本文３０００）に代えて記憶させ（ステップＳ２６）、受信メールの閲覧処理を終了する。
【００９８】
このように、実施の形態１に係る携帯電話機１００は、ユーザが閲覧対象として選択した閲覧対象のメール本文（オリジナル本文）に装飾データが含まれている場合に、通信相手が切替対象者であるときは、その受信メールの閲覧後に、そのオリジナル本文に代えて、装飾データを削除した編集本文を記憶させる。従って、その受信メールの１回目の閲覧では、オリジナル本文を表示でき、２回目以降の閲覧では、装飾データが削除されて内容が簡略化された編集本文を表示できる。装飾データが削除されたことにより、本携帯電話機が記憶する受信メールのサイズを抑えることができるとともに、再度その受信メールを閲覧する場合に、本携帯電話機のユーザは、絵文字等の装飾データが削除されてすっきりとしたメールを閲覧できるので、そのメールの主な内容を把握しやすくなる。
≪変形例≫
＜概要＞
実施の形態１では、通信相手が切替対象者である場合には、図２に示す装飾文字テーブル１０００に基づき、オリジナル本文に含まれている全ての装飾文字を削除した編集本文を生成するものとして説明した。しかし、装飾文字の中にも、特に親密度が高い相手にしか使用できない顔文字等や、比較的親密度が低い相手に対しても使用できる顔文字等様々なレベルのものがあるため、以下では、通信相手毎に、その通信相手に設定されたオリジナル本文からの切替の程度に応じた編集本文を生成するように替えた一変形例について説明する。
【００９９】
変形例に係る携帯電話機は、上述の携帯電話機１００の切替対象判定部１５４及びメール編集部１５５の機能と、装飾文字テーブル１０００及びアドレス帳２０００のデータ構成とを若干変更したものであるため、ここでは、変更部分についてのみ説明する。
＜データ＞
＜装飾文字テーブル＞
まず、変形例に係る携帯電話機が使用する装飾文字テーブル１１００について説明する。
【０１００】
図８は、装飾文字テーブル１１００のデータ構成及び内容例を示す図である。
【０１０１】
同図に示すように、装飾文字テーブル１１００は装飾文字１００１とレベル情報１１０１とからなる。装飾文字１００１は、装飾文字テーブル１０００と同様であるため、説明は省略する。
【０１０２】
レベル情報１１０１は、対応する装飾文字の使用制限レベルを示す情報である。レベル情報１１０１は、使用制限レベルを区別可能なデータであればいずれのデータ形式を採用してもよいが、本変形例では、１〜３のレベルで表し、親友など特に親密度が高い相手にしか使用できない装飾文字ほど、高いレベルを示すレベル情報を対応付けた例を示している。つまり、「３」が対応付けられた装飾文字が、最も使用を制限される装飾文字となっている。
【０１０３】
なお、このレベル情報１１０１の登録や変更は、基地局内のサーバから絵文字等をダウンロードする際に、その絵文字等と共にダウンロードしたレベル情報を追加又登録済みのレベル情報に変えて登録することにより行われ、また、変形例に係る携帯電話機のユーザが操作部１２０を介して行うレベルの設定操作に基づいてユーザインタフェース制御部１５１により行われる。
【０１０４】
同図は、例えば、顔文字である「（Ｔ＾Ｔ）」のレベルは３段階の「２」であり、つまり、使用制限レベルは中レベルであることを示している。また、顔文字である「ｍ（＿  ＿）ｍ」のレベルは３段階の「１」であり、つまり、使用制限レベルは低レベル（比較的親密度が低い相手にも使用可能）であることを示している。
【０１０５】
＜アドレス帳＞
次に、変形例に係る携帯電話機が使用するアドレス帳２１００について説明する。
【０１０６】
図９は、アドレス帳２１００のデータ構成及び内容例を示す図である。
【０１０７】
同図に示すように、アドレス帳２１００は、通信相手となる連絡先毎に、名称２００１と電話番号２００２とＥメールアドレス２００３と切替情報２１０１とが対応付けて記録されている。名称２００１と電話番号２００２とＥメールアドレス２００３とについては、アドレス帳２０００と同様であるため、説明は省略する。
【０１０８】
ここで、切替情報２１０１は、その通信相手を送信先又は送信元としたメールのオリジナル本文から編集本文を生成する際の、オリジナル本文からの切替の程度を示す情報である。切替情報２１０１は、切替の程度を区別可能なデータであればいずれのデータ形式を採用してもよいが、本変形例では、図８に示す装飾文字テーブル１１００のレベル情報１１０１が「１」までの装飾文字を含む編集本文に切り替える場合を「１」とし、レベル情報１１０１が「２」までの装飾文字を含む編集本文に切り替える場合を「２」とし、レベル情報１１０１が「３」までの装飾文字を含む編集本文に切り替える場合を「３」として説明する。つまり、レベル情報１１０１は、１〜３で表されるため、切替情報２１０１が「１」及び「２」である通信相手は切替対象者であり、切替情報２１０１が「３」である通信相手は切替対象外者であることを示している。
【０１０９】
図９は、例えば、名称が「井上一子」である通信相手の切替情報は「３」、即ち、その通信相手は切替対象外者であることを示しており、また、名称が「斉藤二郎」である通信相手の切替情報は「１」、即ち、その通信相手は切替対象者であり、装飾文字テーブル１１００のレベル情報１１０１が「１」までの装飾文字を含む編集本文に切り替えることを示している。
＜動作＞
次に、変形例に係る携帯電話機の動作を説明する。
【０１１０】
＜メール送信処理＞
図１０は、変形例に係る携帯電話機によるメールの送信処理手順を示すフローチャートである。同図に示すステップＳ３０〜Ｓ３３の処理が、実施の形態１に係る携帯電話機１００によるメールの送信処理と異なるため、以下では、この処理を中心に説明する。
【０１１１】
ステップＳ１１において、装飾データが含まれていると判定した場合には（ステップＳ１１：Ｙ）、変形例に係る切替対象判定部は、ステップＳ１０で伝達された各Ｅメールアドレスが示す送信先が切替対象者であるか否かを判定する（ステップＳ３０）。つまり、図９に示すアドレス帳２１００の切替情報２１０１が「１」又は「２」である送信先は切替対象者と、切替情報２１０１が「３」である送信先は切替対象外者であると判定する。
【０１１２】
送信先に１以上の切替対象者が含まれていた場合には（図１０のステップＳ３０：Ｙ）、変形例に係るメール編集部は、ステップＳ１０で伝達されたオリジナル本文から、送信先として含まれている各切替対象者についてのアドレス帳２１００の切替情報２１０１が示す切替の程度毎に、対応する装飾文字以外のステップＳ１１で装飾判定部１５３が検出した装飾データを削除したメール本文（編集本文）を生成する（ステップＳ３１）。
【０１１３】
変形例に係るメール編集部は、ステップＳ１０で伝達された操作情報に基づいて、ステップＳ３１で生成した編集本文と、変形例に係る切替対象判定部が切替対象者と判定した各送信先のＥメールアドレスとを、切替情報２１０１が示す切替の程度毎にメール送信処理部１５６に伝達する（ステップＳ３２）。
【０１１４】
メール送信処理部１５６は、ステップＳ３２で切替の程度毎に伝達された各Ｅメールアドレスと編集本文とに基づいて、切替対象者の切替の程度毎にメールを送信し（ステップＳ３３）、ステップＳ１６へ進む。
【０１１５】
＜受信メール閲覧処理＞
図１１は、変形例に係る携帯電話機による受信メールの閲覧処理手順を示すフローチャートである。同図に示すステップＳ４０、Ｓ４１の処理が、実施の形態１に係る携帯電話機１００による受信メールの閲覧処理と異なるため、以下では、この処理を中心に説明する。
【０１１６】
ステップＳ２２において、装飾データが含まれていると判定した場合には（ステップＳ２２：Ｙ）、変形例に係る切替対象判定部は、ステップＳ２１で伝達されたＥメールアドレスが示す送信元が切替対象者であるかを判定する（ステップＳ４０）。この切替対象者であるか否かの判定方法は、図１０のステップＳ３０と同様である。
【０１１７】
図１１のステップＳ４０において、切替対象者でない場合には（ステップＳ４０：Ｎ）、受信メールの閲覧処理を終了し、切替対象者である場合には（ステップＳ４０：Ｙ）、変形例に係るメール編集部は、ステップＳ２０で伝達されたオリジナル本文から、送信元についてのアドレス帳２１００の切替情報２１０１が示す切替の程度に対応する装飾文字以外のステップＳ２２で装飾判定部１５３が検出した装飾データを削除したメール本文（編集本文）を生成し（ステップＳ４１）、ステップＳ２５に進む。
＜具体例による動作の説明＞
上述した変形例に係る携帯電話機の動作について、図１０及び図１１に示すフローチャートに即して、実施の形態１に係る携帯電話機１００と異なる動作となる部分を中心に具体的に説明する。
【０１１８】
＜メール送信処理＞
以下では、図６に示すメール本文３０００をユーザにより入力されたオリジナル本文とし、送信先として、図９に示す「ｓａｉｔｏ＠ａａａ．ｃｏｍ」（斉藤二郎）と「ｎｉｓｈｉ＠ｂｂｂ．ｃｏ．ｊｐ」（西村三郎）とが選択された場合を例にメール送信処理について説明する。
【０１１９】
図１０のステップＳ１１において、この例では、メール本文３０００には、３００１〜３００４で示す装飾データが含まれているため（ステップＳ１１：Ｙ）、変形例に係る切替対象判定部は、ステップＳ１０で伝達された各Ｅメールアドレス（ｓａｉｔｏ＠ａａａ．ｃｏｍ、ｎｉｓｈｉ＠ｂｂｂ．ｃｏ．ｊｐ）が示す送信先が切替対象者であるかを判定する（ステップＳ３０）。
【０１２０】
この例では各送信先についてのアドレス帳２１００の切替情報２１０１が「１」と「２」とであるため、切替対象者が含まれていたと判定し（ステップＳ３０：Ｙ）、変形例に係るメール編集部は、ステップＳ１０で伝達されたオリジナル本文（メール本文３０００）から、切替情報２１０１が「１」に対応する装飾文字、つまり、装飾文字テーブル１１００のレベル情報１１０１が「１」の装飾文字以外のステップＳ１１で装飾判定部１５３が検出した装飾データ（３００１、３００２、３００４）を削除したメール本文（編集本文）と、切替情報２１０１が「２」に対応する装飾文字、つまり、装飾文字テーブル１１００のレベル情報１１０１が「１」及び「２」の装飾文字以外のステップＳ１１で装飾判定部１５３が検出した装飾データ（３００１、３００４）を削除したメール本文（編集本文）とを生成する（ステップＳ３１）。
【０１２１】
変形例に係るメール編集部は、ステップＳ１０で伝達された操作情報に基づいて、ステップＳ３１で生成した装飾データ（３００１、３００２、３００４）を削除した編集本文と、切替情報２１０１が「１」の送信先のＥメールアドレス（ｓａｉｔｏ＠ａａａ．ｃｏｍ）を、また、装飾データ（３００１、３００４）を削除した編集本文と切替情報２１０１が「２」の送信先のＥメールアドレス（ｎｉｓｈｉ＠ｂｂｂ．ｃｏ．ｊｐ）をメール送信処理部１５６に伝達する（ステップＳ３２）。
【０１２２】
メール送信処理部１５６は、ステップＳ３２で切替の程度毎に伝達されたＥメールアドレスと編集本文とに基づいて、「ｓａｉｔｏ＠ａａａ．ｃｏｍ」宛に装飾データ（３００１、３００２、３００４）を削除した編集本文からなるメールを、「ｎｉｓｈｉ＠ｂｂｂ．ｃｏ．ｊｐ」宛に装飾データ（３００１、３００４）を削除した編集本文からなるメールを送信し（ステップＳ３３）、ステップＳ１６へ進む。
【０１２３】
このように、変形例に係る携帯電話機は、切替情報に応じて、オリジナル本文から装飾文字の削除の程度が異なる編集本文からなるメールを送信できる。従って、本携帯電話機
のユーザは、装飾文字列の削除の程度を変えた各編集本文を作成する手間を省くことができる。
【０１２４】
＜受信メール閲覧処理＞
以下では、図６に示すメール本文３０００を閲覧対象のオリジナル本文とし、送信元が図９に示す「ｎｉｓｈｉ＠ｂｂｂ．ｃｏ．ｊｐ」（西村三郎）である場合を例に受信メールの閲覧処理について説明する。
【０１２５】
図１１のステップＳ２２において、この例では、メール本文３０００には、３００１〜３００４で示す装飾データが含まれているため（ステップＳ２２：Ｙ）、変形例に係る切替対象判定部は、ステップＳ２１で伝達されたＥメールアドレス（ｎｉｓｈｉ＠ｂｂｂ．ｃｏ．ｊｐ）が示す送信元が切替対象者であるかを判定する（ステップＳ４０）。
【０１２６】
ステップＳ４０において、この例では送信先（ｎｉｓｈｉ＠ｂｂｂ．ｃｏ．ｊｐ）についてのアドレス帳２１００の切替情報２１０１が「２」であるため、切替対象者であると判定し（ステップＳ４０：Ｙ）、変形例に係るメール編集部は、ステップＳ２０で伝達されたオリジナル本文（メール本文３０００）から、切替情報２１０１が「２」に対応する装飾文字、つまり、装飾文字テーブル１１００のレベル情報１１０１が「２」の装飾文字以外のステップＳ２２で装飾判定部１５３が検出した装飾データ（３００１、３００４）を削除した編集本文を生成し（ステップＳ４１）、ステップＳ２５に進む。
＜補足＞
（１）実施の形態１及び変形例においては、ユーザが入力したメール本文及びユーザが選択した閲覧対象の受信メールのメール本文（オリジナル本文）を編集本文に切り替えるか否かを、アドレス帳に含まれる１つの切替情報に基づいて判定するものとして説明したが、ユーザが入力したメール本文を編集本文に切り替えるかを判定するための切替情報と、ユーザが選択した閲覧対象の受信メールのメール本文を編集本文に切り替えるかを判定するための切替情報とを分けてアドレス帳に登録してもよい。
【０１２７】
（２）実施の形態１及び変形例においては、ユーザが入力したメール本文をオリジナル本文とする一例を示したが、ユーザが入力したメール本文に限らず、過去に送受信したメールのメール本文をオリジナル本文としてもよい。過去に送受信したメールのメール本文をオリジナル本文とする場合の一例として、過去に受信したメールを転送する場合が考えられる。このような場合に、転送先である通信相手が切替対象者であっても、本携帯電話機のユーザは、オリジナル本文からわざわざ装飾データを削除する編集を行うことなく、装飾データを削除した編集本文からなるメールを送信できる。
【０１２８】
（３）実施の形態１及び変形例においては、ユーザにより受信メールの閲覧がなされた場合に、閲覧対象の受信メールのメール本文に代えて、編集本文を記憶させるか否かを判定するものとして説明したが、判定済みの受信メールについては、それ以降、判定を行わないようにしてもよい。これを実現するための方法として、例えば、各受信メールについて、閲覧後に、閲覧されたことを示すフラグ情報を記憶させるようにし、そのフラグ情報が記憶されていないことを、判定を行う際の条件とすることが考えられる。
【０１２９】
（４）実施の形態１及び変形例においては、切替対象者からの受信メールのメール本文（オリジナル本文）に装飾データが含まれている場合にも、その受信メールの最初の閲覧の際には、オリジナル本文が表示されるものとして説明したが、最初の閲覧の際にも、編集本文が表示されるようにしてもよい。これを実現するための方法として、例えば、メールを受信した際に判定し、又は、閲覧の際、表示前に判定し、判定結果に応じて編集本文を記憶させることが考えられる。
【０１３０】
（５）実施の形態１及び変形例においては、ユーザによる受信メールの閲覧毎に編集本文を記憶させるか否かの判定を行うものとして説明したが、記憶部１１０の受信メール領域１１３に記憶されている各受信メールのサイズが所定の閾値サイズに達した場合に、各受信メールについて、記憶されているメール本文に代えて、編集本文を記憶させるか否かを判定するようにしてもよい。これにより、受信メールのデータサイズを抑え、記憶領域の消費を抑えることができる。
【０１３１】
（６）実施の形態１及び変形例においては、編集本文の送信及び編集本文の記憶を自動的に行うものとして説明したが、判定結果についてユーザに確認させた上で送信又は記憶を行うようにしてもよい。確認させる方法として、例えば、オリジナル本文に装飾データが含まれている場合に、送信先又は送信元である各通信相手を、その通信相手が切替対象者か否かで色やフォントを変えた異なる表示態様で表示し、その表示を行っている際に、ユーザが表示されている通信相手を選択することによって、選択された通信相手に応じたメール本文（その通信相手が切替対象外者である場合にはオリジナル本文、切替対象者である場合には編集本文）を表示させることが考えられる。
【０１３２】
これにより、本発明に係る携帯通信端末は、通信相手がメール本文を切り替える通信相手であるか否かにより、異なる表示態様で、各通信相手を示す情報を表示するため、ユーザは、各通信相手がメール本文を切り替える通信相手であるか否かを容易に判別することができる。
【０１３３】
（７）実施の形態１及び変形例においては、メールの送信履歴について特に言及しなかったが、一般的な携帯電話機と同様に、メールの送信履歴を記憶するものとしてもよく、本携帯電話機のユーザが、その履歴を閲覧する場合に、以下のように表示するようにしてもよい。即ち、実施の形態１及び変形例においては、オリジナル本文に装飾データが含まれていた場合において、ユーザが選択した複数の送信先に、切替対象者と切替対象外者とが含まれていたときは、全ての切替対象者に編集本文からなるメールを送信し、全ての切替対象外者にオリジナル本文からなるメールを送信する。従って、２つのメールの送信履歴を記憶することになるが、この送信履歴をユーザが閲覧する場合には、上記（６）のユーザによる判定結果の確認の場合と同様に、１つのメールの送信履歴として表示するようにしてもよい。つまり、各通信相手が切替対象者か否かで異なる態様で表示し、その表示を行っている際に、選択された通信相手に応じたメール本文を表示させるようにしてもよい。
【０１３４】
（８）実施の形態１及び変形例においては、Ｅメールを送信するものとして説明したが、各電気通信事業者により提供されているショートメッセージサービスを利用することにより実現可能なメール（以下、「ショートメール」という）を送信することとしてもよい。また、オリジナル本文からなるメールを送信する場合にはＥメールで、編集本文からなるメールを送信する場合にはショートメールで送信するというように、本文の種類に応じてメールの形式を変えてもよい。
【０１３５】
（９）実施の形態１及び変形例においては、オリジナル本文に含まれる装飾文字を削除するものとして説明したが、削除せずに予め決められた法則に基づいて別の文字に置き換えてもよい。その置き換えは、親密度、親近感に応じてユーザが決定でき、相手先に応じて簡単に送信するメールを編集することができる。
【０１３６】
（１０）変形例に係るアドレス帳２１００の切替情報２１０１は、編集本文に含ませる装飾文字のレベルを示すものとして説明したが、このことは、オリジナル本文から削除する装飾文字のレベルを示しているのと同じことである。例えば、切替情報２１０１が「１」である場合には、装飾文字テーブル１１００のレベル情報１１０１が「１」までの装飾文字を含む編集本文に切り替えることを示しているが、これは、レベル情報１１０１が「２」及び「３」の装飾文字を削除することを示しているのと同じことである。
【０１３７】
（１１）実施の形態１及び各変形例において説明した各構成要素のうち、全部又は一部を１チップ又は複数チップの集積回路で実現してもよいし、コンピュータのプログラムで実現してもよいし、その他どのような形態で実現してもよい。
【産業上の利用可能性】
【０１３８】
本発明に係る携帯通信端末は、ユーザに手間をかけさせることなくメール本文を編集するために利用される。
【符号の説明】
【０１３９】
１００  携帯電話機
１１０  記憶部
１１１  装飾文字テーブル領域
１１２  アドレス帳領域
１１３  受信メール領域
１２０  操作部
１３０  表示部
１４０  無線通信部
１５０  制御部
１５１  ユーザインタフェース制御部
１５２  メール制御部
１５３  装飾判定部
１５４  切替対象判定部
１５５  メール編集部
１５６  メール送信処理部
１５７  メール受信処理部
【図１】
0005383622.tif 000002
【図２】
0005383622.tif 000003
【図３】
0005383622.tif 000004
【図４】
0005383622.tif 000005
【図５】
0005383622.tif 000006
【図６】
0005383622.tif 000007
【図７】
0005383622.tif 000008
【図８】
0005383622.tif 000009
【図９】
0005383622.tif 000010
【図１０】
0005383622.tif 000011
【図１１】
0005383622.tif 000012